(57)【特許請求の範囲】
【請求項１】
軸方向の一側が薬粉収容室となり、他側が薬粉を吸入する吸入口となった投薬器本体と、該投薬器本体の前記薬粉収容室内の薬粉を含んだ薬粉空気流を前記吸入口側に向けて供給するため、前記薬粉収容室を経由して大気側と前記吸入口との間を連通する通気路とを備えてなる吸入式投薬器において、
前記投薬器本体の吸入口は、軸方向の一側が開口し径方向に複数の大気導入穴が形成された筒部と、該筒部の他側を閉塞するように形成され中央部に薬粉を吸出するための流出開口が設けられた吸口部とにより構成し、
前記吸入口の筒部内には、前記薬粉収容室との間に位置して前記吸入口とは別体の旋回流発生体を設け、
該旋回流発生体には、その中央部を軸方向に延び前記通気路から供給される前記薬粉空気流を前記吸口部の流出開口に流通させる軸方向通路と、該軸方向通路を前記筒部の大気導入穴に連通させるように前記旋回流発生体の径方向に延び前記大気導入穴から吸込んだ空気によって該軸方向通路内に旋回流を発生させる複数の径方向通路とを設けたことを特徴とする吸入式投薬器。
【請求項２】
前記複数の径方向通路は、前記軸方向通路の接線方向に偏心した位置で該軸方向通路に開口する構成としてなる請求項１に記載の吸入式投薬器。
【請求項３】
前記通気路と軸方向通路との間には、前記通気路から流出した薬粉を拡散させた状態で前記軸方向通路内に供給するための薬粉拡散室を設ける構成としてなる請求項１または２に記載の吸入式投薬器。
【発明の詳細な説明】
【０００１】
【発明の属する技術分野】
本発明は、例えば、患者の息の吸込みによって粉体状の薬品（薬粉）を肺内に投与するのに用いて好適な吸入式投薬器に関する。
【０００２】
【従来の技術】
一般に、喘息患者用の薬品投与方法のうち、カプセル内に充填された薬粉を吸入する方法に用いる吸入式投薬器としては、特開平１０−２１６２０４号公報等に示すものが知られている。そして、これらの従来技術による吸入式投薬器は、軸方向の一側が薬粉収容室となり、他側が薬粉を吸入する吸入口となった投薬器本体と、該投薬器本体の薬粉収容室内の薬粉を含んだ薬粉空気流を前記吸入口側に向けて供給するため、該薬粉収容室を経由して大気側と吸入口とを連通する通気路とを備えており、前記薬粉収容室には、カプセル等を用いて薬粉を充填する構成となっている。
【０００３】
この吸入式投薬器では、薬粉収容室にカプセルを装着し、穴あけ具を用いて該カプセルに通気路に連通する穴を形成する。この状態で吸入口をくわえて息を吸込むことにより、大気側から吸込まれた空気を通気路を介して薬粉収容室内のカプセルに流入させ、該カプセル内の薬粉を吸入口内に放出し、該吸入口から患者の肺内に吸入させる。
【０００４】
【発明が解決しようとする課題】
ところで、上述した従来技術による吸入式投薬器は、通気路を経由して薬粉収容室内のカプセルに流入する空気流により、該カプセル内の薬粉を拡散させている。しかし、薬粉が凝縮性の強い造粒体、静電気を帯び易い粉体等のような場合には、薬粉が分散されずに塊のまま吸入口側に流出してしまう。この結果、塊状をした薬粉が吸入途中で口内等に落下することとなり、規定量の薬粉を肺内に吸入することができず、薬粉の効能が低下するという問題がある。
【０００５】
本発明は、上述した従来技術の問題に鑑みなされたもので、本発明の目的は、分散性の悪い薬粉を微粒化すると共に、薬粉が通路内面に付着するのを防止でき、規定量の薬粉を患者に投与できるようにした吸入式投薬器を提供することにある。
【０００６】
【課題を解決するための手段】
本発明による吸入式投薬器は、軸方向の一側が薬粉収容室となり、他側が薬粉を吸入する吸入口となった投薬器本体と、該投薬器本体の薬粉収容室内の薬粉を含んだ薬粉空気流を前記吸入口側に向けて供給するため、前記薬粉収容室を経由して大気側と吸入口との間を連通する通気路とを備えている。
【０００７】
そして、上述した課題を解決するために、請求項１の発明が採用する構成の特徴は、前記投薬器本体の吸入口を、軸方向の一側が開口し径方向に複数の大気導入穴が形成された筒部と、該筒部の他側を閉塞するように形成され中央部に薬粉を吸出するための流出開口が設けられた吸口部とにより構成し、前記吸入口の筒部内には、前記薬粉収容室との間に位置して前記吸入口とは別体の旋回流発生体を設け、該旋回流発生体には、その中央部を軸方向に延び前記通気路から供給される前記薬粉空気流を前記吸口部の流出開口に流通させる軸方向通路と、該軸方向通路を前記筒部の大気導入穴に連通させるように前記旋回流発生体の径方向に延び前記大気導入穴から吸込んだ空気によって該軸方向通路内に旋回流を発生させる複数の径方向通路とを設けたことにある。
【０００８】
このように構成したことにより、吸入口から息を吸い込んだときには、薬粉収容室内の薬粉を含んだ薬粉空気流が、通気路を経由して軸方向通路を流通する。このときに、大気側の空気は、吸入口の筒部に形成した径方向の各大気導入穴から径方向通路内に吸込まれ、軸方向通路内で旋回流を発生するから、この旋回流によって軸方向通路を流通する薬粉を拡散して微粒化することができる。また、軸方向通路で旋回流を発生するための空気は、薬粉空気流が流通する通気路と別個に設けられた複数の大気導入穴、径方向通路を介して軸方向通路内へと旋回流となって流入するから、この軸方向通路内では薬粉を含んでいない空気によって旋回流を形成することができ、軸方向通路の内面等に薬粉が衝突して付着するのを防止することができる。
【０００９】
請求項２の発明によると、前記複数の径方向通路は、前記軸方向通路の接線方向に偏心した位置で該軸方向通路に開口する構成としている。
【００１０】
このように構成したことにより、径方向通路から軸方向通路に流入した空気は、該軸方向通路の内面に沿って旋回流となり、薬粉を拡散して微粒化する。
【００１１】
請求項３の発明によると、前記通気路と軸方向通路との間には、前記通気路から流出した薬粉を拡散させた状態で前記軸方向通路内に供給するための薬粉拡散室を設ける構成としている。
【００１２】
このように構成したことにより、通気路から流出した薬粉は薬粉拡散室に流入し、該薬粉拡散室で拡散して微粒化された状態で吸入口から吸入される。
【００１３】
【発明の実施の形態】
以下、本発明の実施の形態による吸入式投薬器を添付図面に従って詳細に説明する。
【００１４】
まず、図１ないし図６は本発明の第１の実施の形態を示している。１は吸入式投薬器の本体をなす投薬器本体で、該投薬器本体１は、後述のアウタボディ２、インナボディ４、カプセルホルダ６、吸入口１３、旋回流発生体１４等によって大略構成されている。
【００１５】
２は投薬器本体１の一側に位置して設けられたアウタボディで、該アウタボディ２は、略円筒状に形成され、その外周側には後述する穴あけ具２０の支持部２１を可動に支持する穴あけ具ガイド３が設けられている。また、アウタボディ２には、一端部に位置して後述のインナボディ４を軸方向に位置決めする位置決め段部２Ａが縮径して形成され、他端部には後述の吸入口１３が螺着される雄ねじ２Ｂが刻設されている。
【００１６】
４はアウタボディ２内に設けられたインナボディで、該インナボディ４は、アウタボディ２内に挿嵌される円柱状に形成されている。また、インナボディ４のほぼ中央部には、後述するカプセルホルダ６のカプセル保持部７を出入れ可能に収容するホルダ収容部５が設けられている。ここで、ホルダ収容部５は、インナボディ４の軸方向に伸長したほぼ四角形状の有底穴として形成され、その上側には後述するカプセル保持部７のカプセル保持凹部７Ａと協働してカプセル収容穴９をなすカプセル嵌合凹部５Ａが形成されている。
【００１７】
６はアウタボディ２とインナボディ４に対して着脱可能に設けられたカプセルホルダで、該カプセルホルダ６は、図１、図２に示す如く、インナボディ４のホルダ収容部５に出入れ可能に嵌合されるカプセル保持部７と、該カプセル保持部７を出入れするときに把持するキャップ８とによって大略構成されている。
【００１８】
ここで、カプセル保持部７には、カプセルＫを保持するカプセル保持凹部７Ａが形成されている。そして、カプセル保持凹部７Ａは、カプセル保持部７をホルダ収容部５に挿入した状態で、該ホルダ収容部５のカプセル嵌合凹部５Ａとの間に薬粉収容室をなすカプセル収容穴９を形成するものである。また、キャップ８には、投薬時の咳込み等による薬粉の逆流を防止するチェック弁１０が内蔵されている。さらに、カプセルホルダ６には、後述する流入側通気路１１、流出側通気路１２の一部が形成されている。
【００１９】
１１，１１はインナボディ４とカプセルホルダ６に設けられた流入側通気路で、該流入側通気路１１は、外部の空気をカプセル収容穴９に向け流通させるものである。そして、流入側通気路１１は、カプセル収容穴９の外周側に位置して軸方向に伸長し、一端側が大気側に開口した流入通路１１Ａと、該流入通路１１Ａの他端側に連通し、カプセル収容穴９を径方向に貫通するように同軸に延びたピン挿通穴１１Ｂとによって構成され、ピン挿通穴１１Ｂには穴あけ具２０のピン２２が挿通される。
【００２０】
ここで、ピン挿通穴１１Ｂは、図２に示す如く、インナボディ４の軸方向に伸長する長穴として形成されている。これにより、ピン挿通穴１１Ｂは、図６に示すように、カプセルＫに穴をあけたときに形成されるバリがカプセルＫに付いたままの状態で折れ曲がるのを許すための空間を確保している。
【００２１】
１２，１２はインナボディ４とカプセルホルダ６に設けられた流出側通気路で、該流出側通気路１２は、カプセルＫ内の薬粉を後述の軸方向通路１６側に流出させるものである。そして、流出側通気路１２は、カプセル収容穴９を径方向に貫通するように同軸に延びたピン挿通穴１２Ａと、カプセル収容穴９の外周側に位置して軸方向に伸長し、一端側が前記ピン挿通穴１２Ａに連通し他端側が後述の連通路１７に連通した流出通路１２Ｂとによって構成されている。ここで、流出側通気路１２のピン挿通穴１２Ａは、流入側通気路１１のピン挿通穴１１Ｂと同様に、長穴として形成されている。
【００２２】
１３はアウタボディ２の他側に着脱可能に取付けられた吸入口で、該吸入口１３は、外周側が段付状に形成された円筒状の筒部１３Ａと、該筒部１３Ａの他端側を閉塞するように一体的に形成された半球状の吸口部１３Ｂとによって大略構成されている。また、筒部１３Ａには、その大径部１３Ａ1 に位置して大気導入穴１３Ｃが形成されている。また、筒部１３Ａの一端側には、アウタボディ２の雄ねじ２Ｂに螺着される雌ねじ１３Ｄが刻設されている。さらに、吸口部１３Ｂの中央部には、薬粉が吸出される流出開口１３Ｅが軸方向通路１６と同軸、かつ同径に形成されている。
【００２３】
ここで、大気導入穴１３Ｃは、図３に示す如く、周方向の４箇所に設けられ、筒部１３Ａの大径部１３Ａ1 を径方向に貫通している。これにより、大気導入穴１３Ｃは、後述の環状空間１５を大気側に連通している。また、大気導入穴１３Ｃは、大径部１３Ａ1 に配置されることにより、吸入口１３をくわえたときに大気導入穴１３Ｃが唇によって塞がれるような事態を防止している。
【００２４】
１４は吸入口１３の筒部１３Ａ内周側に配設された旋回流発生体で、該旋回流発生体１４は、吸入口１３の筒部１３Ａよりも小径でインナボディ４とほぼ同じ径寸法の円柱体として形成されている。そして、旋回流発生体１４は、その一端側がアウタボディ２内に嵌合して径方向に位置決めされ、吸入口１３とほぼ同軸に配置されている。これにより、旋回流発生体１４は、吸入口１３の筒部１３Ａとの間に環状空間１５を画成している。
【００２５】
また、旋回流発生体１４は、吸入口１３の雌ねじ１３Ｄをアウタボディ２の雄ねじ２Ｂに螺着することにより、インナボディ４と一緒にアウタボディ２の位置決め段部２Ａと吸口部１３Ｂとの間で軸方向に位置決めされている。
【００２６】
１６は旋回流発生体１４の中央部を軸方向に延びて設けられた軸方向通路で、該軸方向通路１６は、その一端側がＶ字状に延びた２本の連通路１７，１７を介して流出側通気路１２に連通し、他端側が吸入口１３の流出開口１３Ｅに接続されている。
【００２７】
１８，１８，…は旋回流発生体１４の軸方向のほぼ中間部に設けられた第１の径方向通路で、該径方向通路１８は、図３、図４に示す如く、周方向の３箇所に配置され、環状空間１５と軸方向通路１６とを連通するように径方向に延びて設けられている。ここで、各径方向通路１８は、それぞれが同一方向に僅かな傾きをもって形成され、軸方向通路１６の接線方向に偏心した位置で該軸方向通路１６に開口している。これにより、径方向通路１８から軸方向通路１６に流入した空気流は、軸方向通路１６の内面に沿って流通し、該軸方向通路１６内で旋回流を発生する。
【００２８】
１９，１９，…は第１の径方向通路１８よりも他側（下流側）に位置して旋回流発生体１４に設けられた第２の径方向通路（２本のみ図示）で、該径方向通路１９は、第１の径方向通路１８と同様に形成されている。
【００２９】
一方、２０はカプセルＫに穴あけを施すための穴あけ具で、該穴あけ具２０は、穴あけ具ガイド３内に可動に支持された支持部２１と、基端側が該支持部２１に取付けられ、先端側がピン挿通穴１１Ｂ，１２Ａ内に進入されるピン２２，２２と、前記支持部２１とアウタボディ２との間に設けられた戻しばね２３とによって大略構成されている。
【００３０】
ここで、穴あけ具２０は、支持部２１を戻しばね２３に抗して穴あけ具ガイド３内に押込み、ピン２２，２２をピン挿通穴１１Ｂ，１２Ａ内に挿入することにより、該ピン２２，２２の先端をカプセル収容穴９内のカプセルＫに貫通させ、該カプセルＫに径方向に貫通する４個の穴Ｈをあけるものである。また、支持部２１への押圧力を取除くと、戻しばね２３の付勢力によって支持部２１、ピン２２，２２が初期位置まで後退する。
【００３１】
本実施の形態による吸入式投薬器は上述の如き構成を有するもので、次に、患者が薬粉を吸入するまでの準備動作および吸入時の空気と薬粉の流れについて説明する。
【００３２】
まず、図５に示す如く、カプセルホルダ６をインナボディ４のホルダ収容部５から引出し、カプセル保持部７のカプセル保持凹部７ＡにカプセルＫを挿入し、カプセルホルダ６をホルダ収容部５内に収容する。この状態で、穴あけ具２０の支持部２１を穴あけ具ガイド３に沿って押込むことにより、各ピン２２の先端をピン挿通穴１１Ｂ，１２Ａに挿入してカプセルＫに貫通させ、図６に示すように、カプセルＫに４個の穴Ｈを形成する。
【００３３】
次に、患者が吸入口１３を口にくわえ、この状態で息を吸込むと、空気は流入側通気路１１、穴Ｈを通ってカプセルＫに流入し、該カプセルＫ内の薬粉を拡散する。そして、薬粉を含んだ薬粉空気流はカプセルＫから穴Ｈを通って流出側通気路１２側に流出する。
【００３４】
そして、流出側通気路１２に流出した薬粉空気流は、連通路１７を通って軸方向通路１６に流入し、該軸方向通路１６を流通した後に吸口部１３Ｂに設けられた流出開口１３Ｅから流出する。
【００３５】
また、吸入口１３をくわえて息を吸込んだときには、通気路１１，１２とは別個に、吸入口１３の大気導入穴１３Ｃから環状空間１５内に大気側の空気が流入し、この空気は第１の径方向通路１８と第２の径方向通路１９からそれぞれ軸方向通路１６に供給される。これにより、軸方向通路１６内では旋回流が発生し、この旋回流によって薬粉空気流中の薬粉を拡散して微粒化する。
【００３６】
ここで、カプセルＫ側から供給される薬粉は、緩やかに屈曲した連通路１７を通って軸方向通路１６に流入し、該軸方向通路１６から流出開口１３Ｅまで軸方向に流通するから、通路の内面への薬粉の衝突を抑えることができる。しかも、軸方向通路１６内に旋回流を発生する径方向通路１８，１９は、薬粉を含んでいない空気流だけを軸方向通路１６に供給しているから、径方向通路１８，１９による旋回流は、軸方向通路１６の内面に薬粉が付着するのを防止することができる。
【００３７】
これらのことにより、凝縮性が強く、分散性が悪い薬粉であっても、軸方向通路１６内の旋回流によって塊状の薬粉を細かく崩して微粒化することができる上に、薬粉が連通路１７、軸方向通路１６等の内面に付着するのを防止することができ、規定量の薬粉を患者の口内、気管を介して肺内に吸込ませることができる。
【００３８】
以上のように、本実施の形態によれば、カプセルＫ内の薬粉を含んだ薬粉空気流を軸方向通路１６で流通させると共に、径方向通路１８，１９により薬粉が含まれていない空気流を用いて軸方向通路１６内で旋回流を発生しているから、凝縮性の強い造粒体、静電気を帯び易い粉体等のように、分散性が悪い薬粉でも、軸方向通路１６内の旋回流によって薬粉を拡散して微粒化することができる。しかも、薬粉を含まない空気流によって旋回流を発生することにより、薬粉が軸方向通路１６等の内面に付着するのを防止することができる。この結果、規定量の薬粉を患者に投与することができ、薬粉の効能を高めて吸入式投薬器に対する信頼性を向上することができる。
【００３９】
また、流出側通気路１２，１２と軸方向通路１６とを連通する連通路１７，１７は、緩やかに屈曲するようにＶ字状に配設しているから、流出側通気路１２，１２から軸方向通路１６までの間で通路内面に薬粉が衝突するのを抑制することができ、これによっても薬粉の付着を防止することができる。
【００４０】
また、軸方向通路１６内に旋回流を形成するのに、第１の径方向通路１８と第２の径方向通路１９とを設けているから、各径方向通路１８，１９によって軸方向通路１６内で効果的に旋回流を形成することができ、薬粉の微粒化を促進することができる。
【００４１】
一方、第１の径方向通路１８と第２の径方向通路１９は、環状空間１５、吸入口１３の大気導入穴１３Ｃを介して大気側に連通させているから、各径方向通路１８，１９の両方を、環状空間１５、大気導入穴１３Ｃを介して大気側に連通させることができる。これにより、吸入口１３をアウタボディ２にねじ込んだときにも、径方向通路１８，１９を大気側に確実に連通させることができる。しかも、環状空間１５の範囲内であれば、第３、第４、…の径方向通路を形成することができ、薬粉の特性に合せた旋回流を発生することができる。
【００４２】
次に、図７は本発明の第２の実施の形態を示すに、本発明の特徴は、通気路と軸方向通路との間には通気路から流出した薬粉を拡散する薬粉拡散室を設ける構成としたことにある。なお、本実施の形態では、前述した第１の実施の形態と同一の構成要素には同一の符号を付し、その説明を省略するものとする。
【００４３】
３１は第１の実施の形態による旋回流発生体１４に代えて用いられた本実施の形態による旋回流発生体で、該旋回流発生体３１には、前記第１の実施の形態による旋回流発生体１４とほぼ同様に、その中央部を軸方向に延びた軸方向通路３２と、該軸方向通路３２と環状空間１５とを連通するように径方向に延びた第１の径方向通路３３および第２の径方向通路３４とが設けられている。
【００４４】
しかし、本実施の形態による旋回流発生体３１は、流出側通気路１２と軸方向通路３２との間に位置して後述の薬粉拡散室３５が形成されている点で第１の実施の形態による旋回流発生体１４と相違している。
【００４５】
３５は旋回流発生体３３の一端側に形成された薬粉拡散室で、該薬粉拡散室３５は、インナボディ４との間に半球状の空間として形成され、流出側通気路１２と軸方向通路３２とに連通している。そして、薬粉拡散室３５は、薬粉を含んだ薬粉空気流が流出側通気路１２から流入すると、この薬粉空気流に含まれた薬粉を拡散して空気中に均等に分散させた状態で軸方向通路３２に供給する。
【００４６】
かくして、このように構成された本実施の形態においても、前述した第１の実施の形態とほぼ同様の作用効果を得ることができるが、特に、本実施の形態によれば、流出側通気路１２と軸方向通路３２との間に薬粉拡散室３５を設けているから、薬粉拡散室３５によって薬粉の微粒化をより一層促進することができ、薬粉の吸入効率を高めることができる。
【００４７】
なお、第１の実施の形態では、大気導入穴１３Ｃは吸入口１３の周方向に４箇所設けるものとして述べたが、本発明はこれに限るものではなく、大気導入穴１３Ｃを吸入口１３に１箇所、２箇所、３箇所または５箇所以上設けてもよい。この構成は第２の実施の形態にも適用することができる。
【００４８】
また、第１の実施の形態では、第１の径方向通路１８と第２の径方向通路１９は、旋回流発生体１４の周方向に３箇所ずつ設けるものとして述べたが、本発明はこれに限らず、径方向通路１８，１９を旋回流発生体１４の周方向に１箇所、２箇所または４箇所以上設ける構成としてもよい。この構成は第２の実施の形態にも適用することができる。
【００４９】
また、第１の実施の形態では、旋回流発生体１４の軸方向に離間して第１の径方向通路１８と第２の径方向通路１９を設けるものとして述べたが、本発明はこれに限らず、例えば、第１の径方向通路１８、第２の径方向通路１９のいずれか一方だけ設ける構成としてもよく、また径方向通路は、旋回流発生体１４の軸方向に離間して３箇所以上に設ける構成としてもよい。この構成は第２の実施の形態にも適用することができる。
【００５１】
また、第２の実施の形態では、薬粉拡散室３５は半球状の空間として形成した場合を例に挙げて説明したが、これに替えて、例えば薬粉拡散室３５を円錐状空間等の他の形状の空間として形成してもよい。
【００５２】
さらに、各実施の形態では、インナボディ４のホルダ収容部５に対してカプセルホルダ６を出入れ可能とし、該カプセルホルダ６に薬粉が充填されたカプセルＫを収容する構成としたが、本発明はこれに限らず、例えば、投薬器本体に薬粉収容室を設け、該薬粉収容室に薬粉を直接的に充填し、この薬粉を吸入する構成としてもよい。
【００５３】
【発明の効果】
以上詳述した如く、請求項１の発明によれば、投薬器本体の吸入口を、軸方向の一側が開口し径方向に複数の大気導入穴が形成された筒部と、該筒部の他側を閉塞するように形成され中央部に薬粉を吸出するための流出開口が設けられた吸口部とにより構成し、前記吸入口の筒部内には、薬粉収容室との間に位置して前記吸入口とは別体の旋回流発生体を設け、該旋回流発生体には、その中央部を軸方向に延び通気路から供給される薬粉空気流を前記吸口部の流出開口に流通させる軸方向通路と、該軸方向通路を前記筒部の大気導入穴に連通させるように前記旋回流発生体の径方向に延び前記大気導入穴から吸込んだ空気によって該軸方向通路内に旋回流を発生させる複数の径方向通路とを設ける構成としているので、吸入口の吸口部（流出開口）から息を吸い込んだときには、薬粉収容室内の薬粉を含んだ薬粉空気流は、通気路を経由して軸方向通路を流通する。このときに、大気側の空気は、前記吸入口の筒部に形成した径方向の各大気導入穴から径方向通路内に吸込まれ、軸方向通路内で旋回流を発生するから、この旋回流によって軸方向通路を流通する薬粉を拡散して微粒化することができる。また、軸方向通路で旋回流を発生するための空気は、薬粉空気流が流通する通路と別個に設けられた複数の大気導入穴、径方向通路を介して軸方向通路内へと旋回流となって流入するから、この軸方向通路内では薬粉を含んでいない空気によって旋回流を形成することができ、軸方向通路の内面等に薬粉が衝突して付着するのを防止することができる。
【００５４】
この結果、凝縮性が強く、分散性が悪い薬粉であっても、軸方向通路内の旋回流によって薬粉を拡散して微粒化することができる。しかも、薬粉が軸方向通路等の内面に付着するのを防止することができるから、規定量の薬粉を患者に投与することができ、薬粉の効能を高めて吸入式投薬器に対する信頼性を向上することができる。
【００５５】
請求項２の発明によれば、複数の径方向通路は、軸方向通路の接線方向に偏心した位置で該軸方向通路に開口する構成としているので、各径方向通路から軸方向通路に流入した空気を該軸方向通路の内面に沿って旋回流とすることができ、通路を特殊な形状とすることなく、旋回流を発生して薬粉を拡散し微粒化することができる。
【００５６】
請求項３の発明によれば、通気路と軸方向通路との間には、前記通気路から流出した薬粉を拡散させた状態で軸方向通路内に供給するための薬粉拡散室を設ける構成としているから、前記通気路から流出した薬粉を薬粉拡散室で拡散し、微粒化した状態で軸方向通路に供給することができ、薬粉をより一層微粒化した状態で患者に吸入させることができる。
【図面の簡単な説明】
【図１】  本発明の第１の実施の形態による吸入式投薬器を示す縦断面図である。
【図２】  図１中の吸入式投薬器を矢示II−II方向からみた断面図である。
【図３】  径方向通路を図１中の矢示 III−III 方向からみた吸入口の横断面図である。
【図４】  旋回流発生体を示す外観斜視図である。
【図５】  インナボディからカプセルホルダを引出した状態の吸入式投薬器を示す縦断面図である。
【図６】  カプセル内の薬粉を吸入している状態の吸入式投薬器を示す縦断面図である。
【図７】  本発明の第２の実施の形態による吸入式投薬器を示す縦断面図である。
【符号の説明】
１  投薬器本体
９  カプセル収容穴（薬粉収容室）
１１  流入側通気路（通気路）
１２  流出側通気路（通気路）
１３  吸入口
１３Ａ  筒部
１３Ｂ  吸口部
１３Ｃ  大気導入穴
１３Ｅ  流出開口
１４，３１  旋回流発生体
１６，３２  軸方向通路
１８，３３  第１の径方向通路
１９，３４  第２の径方向通路
３５  薬粉拡散室
【図１】
0003845530.tif 000002
【図２】
0003845530.tif 000003
【図３】
0003845530.tif 000004
【図４】
0003845530.tif 000005
【図５】
0003845530.tif 000006
【図６】
0003845530.tif 000007
【図７】
0003845530.tif 000008